Podtech/llm-jp-corpus-v4-ja_patent huggingface dataset:
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
ユーザの手によって把持される大きさ及び形状に形成されたハウジングであって、前記ハウジングは近位部分と遠位部分とを含み、前記遠位部分は、血管内デバイスを受け入れる大きさ及び形状に形成された開口を含む、ハウジングと、
前記ハウジングに結合された操縦コントローラと、
前記操縦コントローラと通信するプロセッサであって、前記プロセッサは、コードアーキテクチャに基づいて前記操縦コントローラからの入力を作動信号に変換し、前記コードアーキテクチャは、ホーム帰還機能、記憶位置帰還機能、現在位置記憶機能、又は自動マッピング機能のうちの少なくとも１つのためのスクリプトを含み、前記スクリプトは、前記ホーム帰還機能、前記記憶位置帰還機能、又は前記自動マッピング機能のうちの１つ又は複数の実行の間、ユーザ入力を使用不能とするための命令を含む、プロセッサと、
前記ハウジング内に位置し、前記プロセッサから前記作動信号を受信するように前記プロセッサと通信するアクチュエータであって、前記アクチュエータは、前記血管内デバイスを操縦するために前記作動信号に基づいて前記血管内デバイスとインターフェースをとる、アクチュエータと、
を備える、血管内操縦デバイス。
【請求項２】
前記操縦コントローラはジョイスティックを含む、請求項１に記載の血管内操縦デバイス。
【請求項３】
前記アクチュエータは、
第１の次元における運動を制御するための第１の機構と、
前記第１の次元に直交する第２の次元における運動を制御するための第２の機構と、
前記血管内デバイスの長手方向軸の周りでの前記血管内デバイスの回転を制御するための第３の機構であって、前記長手方向軸は前記第１及び第２の次元に直交する第３の機構と、
を含む、請求項１に記載の血管内操縦デバイス。
【請求項４】
前記プロセッサは、前記ハウジング内に位置する、請求項１に記載の血管内操縦デバイス。
【請求項５】
前記プロセッサは、前記ハウジングから離れて位置する、請求項１に記載の血管内操縦デバイス。
【請求項６】
前記ハウジング内に位置する触覚フィードバックデバイスであって、前記触覚フィードバックデバイスは、前記血管内デバイスへの力が閾値を超えたときに、ユーザに警告を提供する、触覚フィードバックデバイス、
を更に備える、請求項１に記載の血管内操縦デバイス。
【請求項７】
前記血管内デバイスへの前記力は、
前記ハウジング内のセンサ、又は
前記血管内デバイス内のセンサ、
のうちの少なくとも１つによって測定される、請求項６に記載の血管内操縦デバイス。
【請求項８】
前記ハウジング内に位置する再充電可能電力供給装置と、
前記ハウジング内に位置する無線トランシーバと、
を更に備える、請求項１に記載の血管内操縦デバイス。
【請求項９】
近位セクションと遠位セクションとを有する血管内デバイスであって、少なくとも１つの感知コンポーネントが前記遠位セクションに結合される、血管内デバイスと、
血管内操縦デバイスであって、前記血管内操縦デバイスは、
ユーザの手によって把持される大きさ及び形状に形成されたハウジングであって、前記ハウジングは、前記血管内デバイスの前記近位セクションを受け入れる大きさ及び形状に形成された開口を含む、ハウジングと、
前記ハウジングに結合された操縦コントローラと、
前記操縦コントローラと通信するプロセッサであって、前記プロセッサは、コードアーキテクチャに基づいて前記操縦コントローラからの入力を作動信号に変換し、前記コードアーキテクチャは、ホーム帰還機能、記憶位置帰還機能、現在位置記憶機能、又は自動マッピング機能のうちの少なくとも１つのためのスクリプトを含み、前記スクリプトは、前記ホーム帰還機能、前記記憶位置帰還機能、又は前記自動マッピング機能のうちの１つ又は複数の実行の間、ユーザ入力を使用不能とするための命令を含む、プロセッサと、
前記ハウジング内に位置し、前記プロセッサから前記作動信号を受信するように前記プロセッサと通信するアクチュエータであって、前記アクチュエータは、前記血管内デバイスを操縦するために前記作動信号に基づいて前記血管内デバイスとインターフェースをとる、アクチュエータと、
を有する、血管内操縦デバイスと、
を備える、システム。
【請求項１０】
前記少なくとも１つの感知コンポーネントは、圧力センサ、流量センサ、又は撮像要素のうちの少なくとも１つを含む、請求項９に記載のシステム。
【請求項１１】
前記血管内デバイスはカテーテルである、請求項９に記載のシステム。
【請求項１２】
前記血管内デバイスはガイドワイヤである、請求項９に記載のシステム。
【請求項１３】
前記アクチュエータは、
第１の次元における運動を制御するための第１の機構と、
前記第１の次元に直交する第２の次元における運動を制御するための第２の機構と、
前記血管内デバイスの長手方向軸の周りでの前記血管内デバイスの回転を制御するための第３の機構であって、前記長手方向軸は前記第１及び第２の次元に直交する第３の機構と、
を含む、請求項９に記載のシステム。
【請求項１４】
前記ハウジング内に位置する触覚フィードバックデバイスであって、前記触覚フィードバックデバイスは、前記血管内デバイスへの力が閾値を超えたときに、ユーザに警告を提供する、触覚フィードバックデバイス、
を更に備える、請求項９に記載のシステム。
【請求項１５】
前記血管内デバイスへの前記力は、
前記ハウジング内のセンサ、又は
前記血管内デバイス内のセンサ、
のうちの少なくとも１つによって測定される、請求項１４に記載のシステム。
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
滅菌器内に配置されるように構成された滅菌筐体であって、手術器具を収容して滅菌するように構成され、前記滅菌器と流体連通して前記滅菌器から蒸気を受容可能な内部を規定する、滅菌筐体において、
前記筐体の前記内部に配置されたまたは前記筐体の外部に結合された相変化物質通知デバイスを備えており、
前記相変化物質通知デバイスは、
上室および下室を画定するハウジングと、
前記上室内に配置され、相変化を経て前記上室から前記下室に移動するように構成された相変化物質と、
前記相変化物質通知デバイスに隣接する前記滅菌器の前記蒸気から前記相変化物質に閾値量の熱エネルギーが伝わった場合に、前記相変化物質が前記上室から前記下室に移動し得るように前記上室と前記下室との間に配置されたバッフルと、
を備えていることを特徴とする、滅菌筐体。
【請求項２】
前記相変化物質通知デバイスは、取り外し可能に結合されている、請求項１に記載の滅菌筐体。
【請求項３】
前記相変化物質通知デバイスは、回転可能に結合され、前記下室の上方に前記上室を選択的に位置決めする、請求項１または２に記載の滅菌筐体。
【請求項４】
前記相変化物質通知デバイスの少なくとも一部が見える透明窓を備えた、請求項１から３のいずれか１項に記載の滅菌筐体。
【請求項５】
本体および前記本体に結合された蓋を具備する容器であって、前記本体および前記蓋の少なくとも一方に前記透明窓が組み込まれた、容器を備えた、請求項４に記載の滅菌筐体。
【請求項６】
前記相変化物質通知デバイスを覆う滅菌障壁被覆であって、前記透明窓が組み込まれた、滅菌障壁被覆を備えた、請求項４に記載の滅菌筐体。
【請求項７】
前記ハウジングが、前記上室および前記下室の少なくとも一方に対応して、対応した前記上室内および前記下室内の一方に配置された前記相変化物質の量を示すマーキングを含む、請求項１から６のいずれか１項に記載の滅菌筐体。
【請求項８】
前記バッフルは、開口部、長手方向スロット、またはこれらの組み合わせを含み、それぞれ、前記相変化を経ていない所定サイズの前記相変化物質が前記上室から前記下室に移動することを防止するように構成されている、請求項１から７のいずれか１項に記載の滅菌筐体。
【請求項９】
前記バッフルは、プレート、スクリーン、格子、またはこれらの組み合わせを含む、請求項１から８のいずれか１項に記載の滅菌筐体。
【請求項１０】
前記バッフルは、前記相変化を経ていない前記相変化物質の大部分が前記上室から前記下室に移動することを防止する、請求項１から９のいずれか１項に記載の滅菌筐体。
【請求項１１】
前記バッフルは、水平以外の位置に配設された上面を有する格子を含むことにより、重力によって、前記相変化物質の一部が前記バッフルを通過する前に、前記上面に沿って移動できるようにした、請求項１から１０のいずれか１項に記載の滅菌筐体。
【請求項１２】
前記相変化物質は、可逆相変化を経るように構成されている、請求項１から１１のいずれか１項に記載の滅菌筐体。
【請求項１３】
前記バッフルは、前記相変化物質の一部が融解した際に重力に応答して前記上室から前記下室に移動するように構成された、請求項１から１２のいずれか１項に記載の滅菌筐体。
【請求項１４】
滅菌器内に配置されるように構成された滅菌筐体であり、手術器具を収容して滅菌するように構成され、前記滅菌器と流体連通して前記滅菌器から蒸気を受容可能な内部を規定する、滅菌筐体であって、
当該筐体に結合された相変化物質通知デバイスを備え、前記相変化物質通知デバイスは、
上室および下室を規定するハウジングと、
前記上室内に配置され、相変化を経るとともに前記上室から前記下室に移動するように構成された相変化物質と、
前記相変化物質通知デバイスに隣接する前記滅菌器の前記蒸気から前記相変化物質に閾値量の熱エネルギーが伝わった場合に、前記相変化物質が前記上室から前記下室に移動し得るように前記上室と前記下室との間に位置決めされたバッフルと、
を備え、
前記バッフルは、水平以外の位置に配設された上面を有する格子を含むことにより、重力によって、前記相変化物質の一部が前記バッフルを通過する前に、前記上面に沿って移動できるようにした、滅菌筐体。
【請求項１５】
滅菌器内に配置されるように構成された滅菌筐体であり、手術器具を収容して滅菌するように構成され、前記滅菌器と流体連通して前記滅菌器から蒸気を受容可能な内部を規定する、滅菌筐体と併用するように構成された相変化物質通知デバイスであって、
上室および下室を規定するハウジングと、
前記上室内に配置され、相変化を経て、前記上室から前記下室に移動するように構成された相変化物質と、
前記上室および前記下室の少なくとも一方に対応して、対応した前記上室内および前記下室内の一方に配置された前記相変化物質の量を示すマーキングと、
前記相変化物質が前記上室から前記下室に移動し得るように前記上室と前記下室との間に配置されたバッフルと、
を備え、
前記マーキングは、前記滅菌器内の前記蒸気から前記相変化物質に伝わっている閾値量の熱エネルギーであり、所望の滅菌レベルと相関した、閾値量の熱エネルギーを示す相変化物質の体積に対応する、相変化物質通知デバイス。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
低減衰係数を有する水等価物質又は水の減衰係数よりも低い減衰係数を有する物質と、
第１のコンプトン散乱係数及び第１の光電吸収係数を有する物質を含むか又は対応する物質を含む第１のインサートと、
第２のコンプトン散乱係数及び第２の光電吸収係数を有する物質を含むか又は対応する物質を含む第２のインサートと、
を含むファントム体であって、前記第１の光電吸収係数と前記第１のコンプトン散乱係数との比率が、前記第２の光電吸収係数と前記第２のコンプトン散乱係数との比率とは異なるように選択され、前記比率は、平均エネルギー値において、又はファントムのスペクトル撮像のために用いられる多色源の放出エネルギー範囲にわたって比較され、前記第１のインサートのエネルギー平均化減衰係数は、前記第２のインサートのエネルギー平均化減衰係数と実質的に一致する、前記ファントム体を含む、スペクトル撮像ファントム。
【請求項２】
第１の濃度の造影剤を含むか若しくは対応する物質、第１の及び／若しくは更なる濃度の更なる造影剤、並びに／又は、平均エネルギー値において、若しくはファントムのスペクトル撮像のために用いられる多色源の放出エネルギー範囲にわたって決定される、更なるコンプトン散乱係数及び更なる光電吸収係数を有する更なる物質を含むか、これらの組み合わせを含む、少なくとも１つの更なるインサートを含む、請求項１に記載のスペクトル撮像ファントム。
【請求項３】
前記第１のインサートは、１つ以上の異なる濃度のヨウ素又はガドリニウム造影剤を含むか若しくは対応する物質、又は、テフロン（登録商標）、ＰＭＭＡ、ポリカーボネート、ポリエチレン、リン酸水素ナトリウム若しくはリン酸水素カリウムを含む、請求項１又は２に記載のスペクトル撮像ファントム。
【請求項４】
前記少なくとも１つの更なるインサートは、１つ以上の異なる濃度のヨウ素若しくはガドリニウム造影剤、及び／又は、テフロン（登録商標）、ＰＭＭＡ、ポリカーボネート、ポリエチレン、リン酸水素ナトリウム若しくはリン酸水素カリウムを含む、請求項２、又は請求項２に従属する請求項３に記載のスペクトル撮像ファントム。
【請求項５】
前記少なくとも１つの第１のインサートは、前記少なくとも１つの第１のインサートが、撮像される被検体の一部の減衰特性を模倣するように選択され、請求項２、又は請求項２に従属する請求項３若しくは４に記載のスペクトル撮像ファントムについては、前記少なくとも１つの更なるインサートは、前記少なくとも１つの更なるインサートが、撮像される前記被検体の一部の減衰特性を模倣するように選択される、請求項１乃至４の何れか一項に記載のスペクトル撮像ファントム。
【請求項６】
前記ファントム体は、走査される被検体の下、上又は上方に前記ファントム体が置かれるように、平らな形状又はアーチ形状を有する、請求項１乃至５の何れか一項に記載のスペクトル撮像ファントム。
【請求項７】
前記ファントム体は、細長い形状を有する、請求項１乃至６の何れか一項に記載のスペクトル撮像ファントム。
【請求項８】
前記ファントム体及び前記インサートは、固体物質である、請求項１乃至７の何れか一項に記載のスペクトル撮像ファントム。
【請求項９】
前記インサートは、前記ファントム体内に永久的に固定される、請求項１乃至８の何れか一項に記載のスペクトル撮像ファントム。
【請求項１０】
スペクトルＸ線撮像デバイスと、請求項１乃至９の何れか一項に記載のスペクトル撮像ファントムと、を含む、スペクトル撮像システム。
【請求項１１】
前記スペクトル撮像ファントムは、前記スペクトルＸ線撮像デバイスの被検体支持体に埋め込まれている、請求項１０に記載のスペクトル撮像システム。
【請求項１２】
請求項１乃至６の何れか一項に記載のスペクトル撮像ファントムを、コンピュータ断層撮影撮像デバイスの検査領域内に挿入するステップと、
少なくとも前記スペクトル撮像ファントムの走査を含むスペクトルコンピュータ断層撮影走査を行い、これにより、少なくとも前記スペクトルコンピュータ断層撮影ファントムのスペクトル撮像データを得るステップと、
前記スペクトルコンピュータ断層撮影ファントムの得られた前記スペクトル撮像データを、被検体内又は前記被検体上の少なくとも関心領域の向上された更なる撮像データを得るための入力として使用するステップと、
を含み、
前記被検体のスペクトルコンピュータ断層撮影走査は、前記スペクトル撮像ファントムの前記スペクトルコンピュータ断層撮影走査に続いて又は同時に行われ、前記向上された更なる撮像データを得るための入力は、撮像データ補正のための入力、推奨を提供するための入力、及び／又は、更なるデータ処理のための入力を含む、スペクトル撮像方法。
【請求項１３】
前記スペクトルコンピュータ断層撮影ファントムの得られた前記スペクトル撮像データを演算する発見的パラメトリックモデルのアプリケーションを介して、前記スペクトル撮像データの物質分解におけるクロストークを定量化するステップであって、前記発見的パラメトリックモデルの自由パラメータのセットは、費用関数に基づき最適化される、ステップと、
定量化された前記クロストークに対して得られた前記スペクトル撮像データを補正するステップと、
少なくとも１つのシステムパラメータを決定し、前記少なくとも１つのシステムパラメータを、定量化された前記クロストークの前記補正に使用するステップと、
を更に含む、請求項１２に記載のスペクトル撮像方法。
【請求項１４】
前記スペクトル撮像ファントムの得られた前記スペクトル撮像データを、理論データ、他のソースで測定されたデータ、撮像される被検体について前に測定されたデータ及び／又は前記スペクトル撮像ファントムの前の走査中に得られた、特に、最後の較正手順直後の前の走査中に得られた前記スペクトル撮像ファントムのデータを含む基準撮像データと比較するステップと、
前記得られたスペクトル撮像データと、前記最後の較正手順中又は最後の較正手順直後に得られたスペクトル撮像データとの差分が所定閾値を超える場合に新しい較正を行うための推奨を含む特別な動作の推奨を提供するステップと、
を更に含む、請求項１２又は１３に記載のスペクトル撮像方法。
【請求項１５】
前記スペクトル撮像ファントムの得られた前記スペクトル撮像データを、反復再構成アルゴリズムを含む再構成アルゴリズム用の入力として使用することによって、前記スペクトル撮像データを再構成するステップを更に含む、請求項１２乃至１４の何れか一項に記載のスペクトル撮像方法。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
患者への使用のための、交換可能なモジュールを有するモジュール式パルスオキシメータプラットフォームであって、前記モジュール式パルスオキシメータプラットフォームは、
電源、保険ネットワークと通信するための遠隔通信モジュール、プロセッサ、メモリ、及び、ＩＤリーダを備えるパルスオキシメータと、
アクティブサブユニット、他のプロセッサ、他のメモリ、及び、それぞれのモジュールを一意的に識別するＩＤ番号を送信するＩＤ送信器を各々が備える複数のモジュールであって、前記アクティブサブユニットの各々は、前記患者の呼吸、脈拍、血圧、体温、又はｐＨを含む前記患者の生理学的パラメータを測定するための生理学的センサである、複数のモジュールと、を含み、
前記パルスオキシメータ及び前記複数のモジュールの各々は、機械的、電子的、及び電気的に前記パルスオキシメータと前記複数のモジュールとを直列形式で接続する１つ又は複数の接続をさらに含む、モジュール式パルスオキシメータプラットフォーム。
【請求項２】
前記複数のモジュールの各々の前記１つ又は複数の接続はさらに、
前記モジュールを前記複数のモジュールのうちの別のモジュール又は前記パルスオキシメータに機械的に連結する機械的接続と、
前記電源から前記モジュールへの電力供給を可能にする電力通信と、
前記パルスオキシメータ及び前記複数のモジュール間でのデータの通信を可能にするデータ接続と、を含む、請求項１に記載の交換可能なモジュールを有するモジュール式パルスオキシメータプラットフォーム。
【請求項３】
前記パルスオキシメータは、前記患者の身体の部位上に装着され、前記患者の酸素飽和度を測定するように適合され、前記患者の指、耳、つま先又は指以外の身体の部位で動作するように適合された携帯型パルスオキシメータである、請求項２に記載のモジュール式パルスオキシメータプラットフォーム。
【請求項４】
前記複数のモジュールは、体温モジュール、血圧モジュール、マイクロフォンモジュール、ＧＰＳモジュール、セキュリティ警報モジュール、ＩＤモジュール、加速度計モジュール、化学的検出モジュール、ＳＤカードモジュール、及びＢｌｕｅｔｏｏｔｈ(登録商標）センサモジュールから選択される、請求項２に記載のモジュール式パルスオキシメータプラットフォーム。
【請求項５】
１つ又は複数の前記機械的接続は、前記モジュール又は前記パルスオキシメータの一方の側に配置される第１の接続と、前記モジュール又は前記パルスオキシメータの反対の側に配置され、前記第１の接続と機械的に連結可能である第２の接続と、を含む、請求項２に記載のモジュール式パルスオキシメータプラットフォーム。
【請求項６】
前記保険ネットワークは、保険ネットワークプロセッサ、通信モジュール、ＩＤデータベース、及びモジュールプログラムデータベースを含み、前記モジュールプログラムデータベースは、前記モジュールを動作させるために必要なモジュールタイプ及びいくつかのプログラムデータファイルをテーブル形式で保存する、請求項１に記載のモジュール式パルスオキシメータプラットフォーム。
【請求項７】
前記ＩＤリーダ及び前記ＩＤ送信器は、ＲＦＩＤ（登録商標）、Ｂｌｕｅｔｏｏｔｈ（登録商標）、Ｗｉ−Ｆｉ（登録商標）、セルラ通信又は他の無線通信技術に適合した無線通信モジュールである、請求項１に記載のモジュール式パルスオキシメータプラットフォーム。
【請求項８】
前記ＩＤリーダ及び前記ＩＤ送信器は、前記パルスオキシメータ及び前記複数のモジュールのプロセッサによってそれぞれ実行されるソフトウェア機能である、請求項１に記載のモジュール式パルスオキシメータプラットフォーム。
【請求項９】
前記ＩＤデータベースは、１つ又は複数のＩＤ番号及び当該ＩＤ番号に対応する１つ又は複数のモジュールタイプを含む、請求項６に記載のモジュール式パルスオキシメータプラットフォーム。
【請求項１０】
前記保険ネットワークは、クラウドサービスネットワークである、請求項６に記載のモジュール式パルスオキシメータプラットフォーム。
【請求項１１】
患者への使用のための、交換可能なモジュールを有するモジュール式パルスオキシメータプラットフォームを動作させる方法であって、
患者の健康状況に基づいて選択された複数のモジュールとパルスオキシメータとを複数の接続を介して直列に接続するステップであって、前記健康状況は、疾患、症状、環境条件、患者の年齢、特定の状況又はこれらの組み合わせである、ステップと、
前記複数のモジュールによって送信された複数のＩＤ番号を識別するステップと、
前記患者の身体の１つの部位に近接した前記パルスオキシメータ及び前記複数のモジュールを、パルスオキシメータプロセッサを介して動作させるステップであって、前記パルスオキシメータプロセッサは、体温データ、血圧データ、及び音声データを前記患者に関連付けられるデータセットにグループ分けする、ステップと、
前記複数のモジュールから前記パルスオキシメータにモジュールデータを送信するステップと、
複数の送信された前記モジュールデータ及びパルスオキシメータデータのうちの少なくとも２つを関連付けるステップであって、前記関連付けは、それぞれのデータセットの同期、相関、及び計算を含む、ステップと、
ＩＤリーダを起動するステップと、
を含み、
前記複数のモジュールによって送信された前記複数のＩＤ番号を識別するステップは、前記ＩＤリーダを使用して行われる、
方法。
【請求項１２】
前記ＩＤ番号が識別されると、前記ＩＤ番号に対応したプログラムデータが読み込まれて実行され、接続された前記モジュールは、１つ又は複数の対応する機能を実行することができる、請求項１１に記載の方法。
【請求項１３】
前記プログラムデータの一部又は全部は、前記パルスオキシメータプロセッサ、前記モジュールのプロセッサ、又は、前記パルスオキシメータプロセッサと前記モジュールのプロセッサとの組み合わせによって読み込まれて実行される、請求項１２に記載の方法。
【請求項１４】
前記ＩＤ番号が認識されない場合、無認識のＩＤ番号を含むＩＤ要求が、前記パルスオキシメータの遠隔通信モジュールを使用して保険ネットワークに送られる、請求項１１に記載の方法。
【請求項１５】
前記パルスオキシメータによって送られた前記ＩＤ要求を前記保険ネットワークにおいて受信するステップと、
前記ＩＤ番号を前記保険ネットワーク内のＩＤデータベースに記載された値と照合することによってモジュールタイプを識別するステップであって、前記ＩＤデータベースは、前記ＩＤ番号のための１つの欄と、前記モジュールタイプのための他の欄とを含む、ステップと、
前記保険ネットワークのモジュールプログラムデータベースにおいて前記モジュールタイプを検索することによって前記モジュールを実行するために必要なプログラムデータファイルを識別するステップであって、前記モジュールプログラムデータベースは、前記モジュールタイプのための１つの欄と、前記プログラムデータファイルのための他の欄と、を含む、ステップと、
前記プログラムデータファイルを前記パルスオキシメータに送るステップと、をさらに含む、請求項１４に記載の方法。
【手続補正書】
【提出日】令和1年7月5日(2019.7.5)
【手続補正１】
【補正対象書類名】特許請求の範囲
【補正対象項目名】全文
【補正方法】変更
【補正の内容】
【特許請求の範囲】
【請求項１】
患者モニタであって、
血管内ＩＶデバイスと通信する有線又は無線通信インタフェースと、
有線又は無線のバイタルサインセンサインタフェースと、
表示要素と、
電子デバイスとを有し、前記電子デバイスが、
測定された薬物情報を時間の関数として前記有線又は無線通信インタフェースを介して前記ＩＶデバイスから受信し、
前記有線又は無線のバイタルサイン信号センサインタフェースに接続される１つ又は複数のバイタルサイン信号センサから、時間の関数としてのバイタルサイン情報を受信し、
前記時間の関数としてのバイタルサイン情報及び前記時間の関数としての測定された薬物情報の両方の時間同期された表示を前記表示要素に同時に表示し、
流量変化に基づき、前記測定された薬物情報の前記傾向線の色を変更するようプログラムされる、患者モニタ。
【請求項２】
前記時間の関数としての測定された薬物情報が、時間の関数としての流量、及び時間の関数としての薬物の温度を有する、請求項１に記載の患者モニタ。
【請求項３】
前記電子デバイスが、時間の関数として、前記バイタルサイン情報の現在の値及び前記測定された薬物情報の現在の値の両方を前記表示要素に同時に表示するようプログラムされ、表示されたすべての現在の値は、リアルタイムに更新される、請求項１に記載の患者モニタ。
【請求項４】
前記有線又は無線通信インタフェースが、複数のＩＶデバイスと通信し、前記電子デバイスは、測定された薬物情報を時間の関数として前記有線又は無線通信インタフェースを介して複数のＩＶデバイスから受信し、前記時間の関数としてのバイタルサイン情報及び前記時間の関数としての各ＩＶデバイスからの測定された薬物情報のすべての時間同期された表示を表示要素に同時に表示するようプログラムされる、請求項１乃至３のいずれかに記載の患者モニタ。
【請求項５】
前記電子デバイスが更に、前記時間の関数としてのバイタルサイン情報に少なくとも基づき前記ＩＶデバイスを制御するための制御信号を決定し、前記決定された制御信号を前記ＩＶデバイスに送信するようプログラムされる、請求項１乃至４のいずれかに記載の患者モニタ。
【請求項６】
データ収集システムと通信する血管内デバイスであって、
薬物の流量を自動的に制御する流量コントローラと、
前記薬物の流量を測定する流量検出器と、
患者のバイタルサインデータを受信するため、患者モニタと通信する有線又は無線通信インタフェースと、
電子デバイスとを有し、前記電子デバイスが、
前記有線又は無線の通信インタフェースを介してバイタルサイン信号を受信し、
前記バイタルサイン信号と前記測定された流量とに基づき流量制御信号を生成し、
前記バイタルサイン信号が失われる場合、前記流量をデフォルトの流量にリセットするようプログラムされる、血管内デバイス。
【請求項７】
前記リーダが、バーコードリーダ又は無線周波数識別リーダである、請求項６に記載の血管内デバイス。
【請求項８】
シリンジ本体内に収容される温度センサと、
コードによりシリンジ本体に接続され、薬物タイプを識別するリーダとを更に有する、請求項６に記載の血管内デバイス。
【請求項９】
システムであって、
血管内ＩＶデバイスを有し、前記血管内デバイスが、
薬物の流量を測定する流量検出器と、
前記薬物の温度を測定する温度センサと、
コードによりシリンジ本体に接続され、薬物の種類を識別するリーダと、
患者モニタから制御信号を受信し、前記受信される制御信号に基づき流量を設定し、測定された薬物情報をタイムスタンプするようプログラムされる電子デバイスとを含み、
前記患者モニタは、
前記測定された薬物情報を前記ＩＶデバイスから受信し、バイタルサイン情報を受信し、前記バイタルサイン情報をタイムスタンプし、前記ＩＶデバイスと前記患者モニタとの間の伝送における遅延に関し前記制御信号を調整するようプログラムされる電子デバイスと、
前記測定された薬物情報と共にバイタルサイン情報を表示するディスプレイとを含む、システム。
【請求項１０】
少なくとも２つのＩＶデバイスを有する、請求項９に記載のシステム。
【請求項１１】
前記ＩＶデバイスの電子デバイスが、前記制御信号が失われる場合、前記流量をデフォルト流量にリセットするようプログラムされる、請求項９又は１０に記載のシステム。
【請求項１２】
前記ＩＶデバイスの電子デバイスが、前記患者のバイタルサイン情報が失われる場合、前記流量をデフォルト流量にリセットするようプログラムされる、請求項９乃至１１のいずれかに記載のシステム。
【請求項１３】
前記測定された薬物情報が、前記流量検出器により測定された流量と、前記温度センサにより測定された温度とからなる、請求項９乃至１２のいずれかに記載のシステム。
【請求項１４】
前記ディスプレイが更に、流量変化に基づき、前記波形の色を変更する、請求項９乃至１３のいずれかに記載のシステム。
【請求項１５】
前記表示されるバイタルサイン情報が、波形形式で一緒に表示される心電図、動脈血圧、及びＳｐＯ２情報を有する、請求項９乃至１４のいずれかに記載のシステム。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
キックスケーターであって、
ボード板（１）と、
該ボード板（１）にヒンジ連結された少なくとも１つの後輪（２）及び前記ボード板（１）にヒンジ連結された少なくとも１つの前輪（３）と、を有し、
一つの前方の走行方向に移動可能であり、
要素（５）の第１の位置（６）によって所望された使用の場合及び前記要素（５）の第２の位置（７）によって所望された他の使用の場合において、同じ走行方向に移動可能である、キックスケーターにおいて、
前記要素（５）は、ジョイント（１５）を介してヒンジ連結され、該要素（５）は着座部材としての第１の位置（６）から、前記ボード板（１）上に立つ人のための把持ロッドとしての第２の位置（７）へ唯一の回転軸線（８）の周りを回転可能であり、
前記要素の前記回転軸線（８）は、前記要素（５）の前記第１の位置（６）と前記要素（５）の前記第２の位置（７）との間の角２等分線であることを特徴とするキックスケーター。
【請求項２】
キックスケーターであって、
ボード板（１）と、
該ボード板（１）にヒンジ連結された少なくとも１つの後輪（２）及び前記ボード板（１）にヒンジ連結された少なくとも１つの前輪（３）と、を有し、
前記後輪（２）又は前記前輪（３）は重量移動操舵装置によって操舵可能であり、
一つの前方の走行方向に移動可能である、キックスケーターにおいて、
前記重量移動操舵装置は、ジョイント（１５）及び／又は変形可能な連結要素（５）を介して前記ボード板（１）にヒンジ連結された要素を有し、
連結要素（５）は、着座部材としての第１の位置（６）から、前記ボード板（１）上に立つ人のための把持ロッドとしての第２の位置（７）へ移動可能であることを特徴とするキックスケーター。
【請求項３】
キックスケーターであって、
ボード板（１）と、
該ボード板（１）にヒンジ連結された少なくとも１つの後輪（２）及び前記ボード板（１）にヒンジ連結された少なくとも１つの前輪（３）と、
前記ボード板（１）に取り付けられている把持部材（９）と、を有し、
一つの前方の走行方向に移動可能であり、
要素の第１の位置によって所望された使用の場合及び前記要素（５）の第２の位置によって所望された他の使用の場合において、同じ前方の走行方向（２０）に移動可能であり、
前記要素（５）は前記把持部材（９）を包囲することによって該把持部材（９）に接続可能である、キックスケーターにおいて、
前記要素（５）は、該要素（５）を記把持部材（９）上に取り付けるために一緒に連結される二つの部分を有し、
一つの部分は、要素（５）の第１の位置で前記把持部材（９）を受容するための第１のコンソール収容部（１７）と、要素（５）の第２の位置で前記把持部材（９）を受容するための第２のコンソール収容部（１８）とを有し、
要素（５）は、前記把持部材（９）から外すこと、及び前記把持部材（９）に前記要素（５）を取り付けることによって、着座部材としての第１の位置（６）から、前記ボード板（１）上に立つ人のための把持ロッドとしての第２の位置（７）へ移動可能であることを特徴とするキックスケーター。
【請求項４】
キックスケーターであって、
ボード板（１）と、
該ボード板（１）にヒンジ連結された少なくとも１つの後輪（２）及び前記ボード板（１）にヒンジ連結された少なくとも１つの前輪（３）と、
前記ボード板（１）に取り付けられている把持部材（９）と、を有し、
一つの前方の走行方向に移動可能であり、
要素の第１の位置によって所望された使用の場合及び前記要素（５）の第２の位置によって所望された他の使用の場合において、同じ前方の走行方向（２０）に移動可能である、キックスケーターにおいて、
コンソール（１６）は前記ボード板（１）と一体的に形成され、
前記要素（５）は、該要素（５）の第１の位置で前記コンソール（１６）に取り付け可能な第１のコンソール収容部（１７）と、前記要素（５）の第２の位置で前記把持部材（９）を受容するための第２のコンソール収容部（１８）とを有し、
要素（５）は、着座部材としての第１の位置（６）から、前記ボード板（１）上に立つ人のための把持ロッドとしての第２の位置（７）へ移動可能であり、
前記第１のコンソール収容部（１７）は、前記第１の位置（６）に前記要素（５）を確実に取り付けるための緊定要素６を有することを特徴とするキックスケーター。
【請求項５】
前記要素（５）は、ジョイント又はプラグ接続などの機械的接続によって追加の要素を介してボード板（１）に連結されていることを特徴とする請求項１〜４の何れか一項に記載のキックスケーター。
【請求項６】
ジョイント又はプラグ接続は、前記第１の位置又は前記第２の位置で接続が解除可能であり、前記要素は自由な又はジョイント又はプラグ接続により指定された移動によって移動可能であることを特徴とする請求項１〜５の何れか一項に記載のキックスケーター。
【請求項７】
回転軸線（８）は水平線又は垂直線に対して４５゜傾いていることを特徴とする請求項１〜５の何れか一項に記載のキックスケーター。
【請求項８】
ジョイント（１５）は回転軸線（８）に対して直角に延びているジョイント面（１３）を有していることを特徴とする請求項１に記載のキックスケーター。
【請求項９】
前記要素（５）は、前記第１の位置（６）及び／又は前記第２の位置（７）において異なる高さ位置で取り付けられていることを特徴とする請求項１〜８の何れか一項に記載のキックスケーター。
【請求項１０】
前記要素（５）は、前記第１の位置（６）において実質的に水平に延び、及び／又は前記第２の位置（７）において実質的に垂直に延びていることを特徴とする請求項１〜９の何れか一項に記載のキックスケーター。
【請求項１１】
前記前輪及び／又は前記後輪は、重量移動操舵装置及び／又は回転操舵装置を有することを特徴とする請求項１又は４〜９の何れか一項に記載のキックスケーター。
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
患者医療モニタリングユニットと、
メモリ素子を有する情報ユニットと
を備える患者モニタリングデバイスであって、
前記患者医療モニタリングユニットは、患者の少なくとも１つの生理学的パラメータのモニタリングを実施し、
前記情報ユニットは、前記患者医療モニタリングユニットに関する情報を示すデータキャリア信号を提供し、
前記データキャリア信号は、アナログインターフェースを介して送信されるように前記メモリ素子に記憶された前記情報から変換された可変部分を有する所定の波形を含むアナログシーケンスとして提供され、
前記情報は、
シリアル番号、
バッチ番号、
製造データ、及び
較正パラメータ
のグループのうちの少なくとも１つを含む、
患者モニタリングデバイス。
【請求項２】
前記情報ユニットは、患者モニタリングシステムに接続されると、データを送信する、請求項１に記載の患者モニタリングデバイス。
【請求項３】
前記患者医療モニタリングユニットは、前記少なくとも１つの生理学的パラメータをモニタリングするための少なくとも１つのセンサを備え、前記少なくとも１つのセンサが介入デバイスに設けられ、前記介入デバイスは、
解剖学的構造の空洞又は内腔に挿入される可撓性の細長い物体と、
解剖学的構造の少なくとも一部を貫通する剛性又は可撓性の細長い物体と
のグループのうちの少なくとも１つに関する、請求項１又は２に記載の患者モニタリングデバイス。
【請求項４】
前記患者医療モニタリングユニットは、
ｉ）血圧、血液量、血流、血流速度、血液粘稠度、血管の弾性、及び血管の形状のグループのうちの前記患者の少なくとも１つの生理学的パラメータを提供する血行動態モニタリングユニットと、
ｉｉ）心拍数、心係数、心臓電気活動のグループのうちの患者の少なくとも１つの心臓関連パラメータを提供する心臓モニタリングユニットと、
ｉｉｉ）腸管の腔内の画像、前記腸管の腔内の内容物の化学的稠度、及び温度のグループのうちの前記患者の少なくとも１つのパラメータを提供する消化器モニタリングユニットと、
ｉｖ）前記患者の神経電気活動を示す信号を提供する神経モニタリングユニットと
のグループのうちの少なくとも１つとして提供される、請求項１、２又は３に記載の患者モニタリングデバイス。
【請求項５】
前記患者医療モニタリングユニットは、患者の血管構造内に挿入可能なカテーテルとして提供され、
ｉ）血圧、血液量、血流、血流速度、血液粘稠度、血管の弾性、及び血管の形状のグループのうちの前記患者の少なくとも１つの生理学的パラメータを測定する血行動態モニタリングユニット、及び／又は、
ｉｉ）心拍数及び心係数のグループのうちの前記患者の少なくとも１つの心臓関連パラメータを測定する心臓モニタリングユニット
として提供される、請求項１、２又は３に記載の患者モニタリングデバイス。
【請求項６】
インターフェースデバイスと、
データ処理デバイスと、
請求項１乃至５のいずれか一項に記載の患者モニタリングデバイスと
を備える患者モニタリングシステムであって、
前記患者モニタリングデバイスは、データキャリア信号を提供し、
前記インターフェースデバイスは、前記データキャリア信号を受信し、前記データキャリア信号を前記データ処理デバイスに提供し、
前記データ処理デバイスは、受信された前記データキャリア信号に基づいて前記患者モニタリングデバイスに関する情報を識別し、識別された前記情報をさらなるステップのために検討する、
患者モニタリングシステム。
【請求項７】
前記データ処理デバイスは、前記受信されたデータキャリア信号のアナログシーケンスの所定の波形を検出し、検出された前記所定の波形に基づいて前記患者モニタリングデバイスに関する前記情報を識別する、請求項６に記載の患者モニタリングシステム。
【請求項８】
前記データ処理デバイスは、
前記識別された情報に基づいて前記患者モニタリングシステムの少なくとも１つのロックされた機能を有効化若しくは無効化し、及び／又は
前記識別された情報に基づいて、前記患者モニタリングシステム上に専用の入力ポートを有さない新たなパラメータを測定するための、前記患者モニタリングシステムの標準的な入力ポートの使用を可能にする、
請求項６又は７に記載の患者モニタリングシステム。
【請求項９】
キャリア信号として使用されるアナログ信号を提供する二次モニタリングユニットであって、
前記情報ユニットは前記二次モニタリングユニットに属し、
前記情報ユニットは、前記患者医療モニタリングユニットに関する情報を示す前記データキャリア信号を前記キャリア信号に追加する、
請求項６、７又は８に記載の患者モニタリングシステム。
【請求項１０】
少なくとも１つのロックされた機能は、
冠血流予備量比測定、
圧力測定、
瞬時血流予備量比測定、並びに
血流、酸素化及び粘度を含む新たな機能
のグループのうちの少なくとも１つを含む、請求項６、７、８又は９に記載の患者モニタリングシステム。
【請求項１１】
患者モニタリングシステムを動作させるための方法であって、
ａ）血行動態モニタリングデバイスを前記患者モニタリングシステムに接続すると、患者モニタリングデバイスに関する情報を示すデータキャリア信号を提供するステップと、
ｂ）前記データキャリア信号を受信し、受信された前記データキャリア信号に基づいて前記患者モニタリングデバイスに関する前記情報を識別するステップと、
ｃ）識別された前記情報をさらなるステップのために検討するステップと
を有し、
前記データキャリア信号は、アナログインターフェースを介して送信されるようにメモリ素子に記憶された前記情報から変換された可変部分を有する所定の波形を含むアナログシーケンスとして提供され、
前記情報は、
シリアル番号、
バッチ番号、
製造データ、及び
較正パラメータ
のグループのうちの少なくとも１つを含む、方法。
【請求項１２】
ｄ）前記受信されたデータキャリア信号の前記アナログシーケンスの前記所定の波形を検出し、検出された前記所定の波形に基づいて前記患者モニタリングデバイスに関する前記情報を識別するステップ
をさらに有する、請求項１１に記載の方法。
【請求項１３】
ｅ）前記識別された情報に基づいて前記患者モニタリングシステムの少なくとも１つのロックされた機能を有効化若しくは無効化するステップ、及び／又は
前記識別された情報に基づいて、前記患者モニタリングシステム上に専用の入力ポートを有さない新たなパラメータを測定するための、前記患者モニタリングシステムの標準的な入力ポートの使用を可能にするステップ、
をさらに有する、請求項１１又は１２に記載の方法。
【請求項１４】
処理ユニットによって実行されるとき、請求項１１乃至１３のいずれか一項に記載の方法のステップを実行する、請求項１乃至５のいずれか一項に記載の患者モニタリングデバイス又は請求項６乃至１０のいずれか一項に記載の患者モニタリングシステムを制御するためのコンピュータプログラム。
【請求項１５】
請求項１４に記載のコンピュータプログラムを記憶した、コンピュータ可読媒体。
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
分析物濃度センサからの信号のみを使用して、生物系内の前記分析物濃度センサを校正する方法であって、定常状態において、前記生物系内の分析物濃度値は既知であり、前記方法は、
ａ．モニタリングデバイス上で、生物系内に留置されている分析物濃度センサによって測定される分析物濃度値が第１の繰り返し性事象を構成するときを検出することと、
ｂ．前記モニタリングデバイス上または前記モニタリングデバイスに動作可能に連結されたデバイスもしくはサーバ上で、前記生物系が前記検出された第１の繰り返し性事象におけるときの前記分析物濃度値の測定値を、前記既知の分析物濃度値と相互に関連付けることと、を含む、方法。
【請求項２】
前記相互関連付けは、前記センサ読み取り値と前記既知の分析物濃度値との間の関数関係を決定することを含む、請求項１に記載の方法。
【請求項３】
前記関数関係は、乗法定数を含む、請求項２に記載の方法。
【請求項４】
前記検出は、前記モニタリングデバイスへの事象の入力に続いて所定時間待機することを含む、請求項１〜３のいずれか１項に記載の方法。
【請求項５】
前記事象は、食事または運動である、請求項４に記載の方法。
【請求項６】
ａ．前記相互関連付けに続いて、第２の繰り返し性事象の発生を検出することであって、前記第２の繰り返し性事象は、前記第１の繰り返し性事象とは異なる、検出することと、
ｂ．前記生物系が前記検出された第２の繰り返し性事象におけるときのセンサ読み取り値を前記既知の分析物濃度値と相互に関連付けることによって、前記分析物濃度センサを再校正することと、をさらに含む、請求項１〜５のいずれか１項に記載の方法。
【請求項７】
前記センサ読み取り値は、初期校正における第１の未加工の値及び再校正における第２の未加工の値を有し、前記第１及び第２の未加工の値は異なる、請求項６に記載の方法。
【請求項８】
前記再校正は、センサ読み取り値が実質的に安定しているか、または閾値期間にわたって読み取り値の所定の範囲内にあるときに生じるように構成され、それにより、読み取り値の予期しない急上昇の発生が低減される、請求項６に記載の方法。
【請求項９】
ａ．前記相互関連付けに続いて、少なくとも部分的に前記相互関連付けに基づき校正された前記分析物濃度の現在測定されている値及び履歴値を示すグラフまたは表を表示することと、
ｂ．前記再校正に続いて、前記再校正に従って、前記分析物濃度の現在測定されている値及び履歴値を示す前記グラフまたは表の前記表示を更新することと、をさらに含む、請求項７に記載の方法。
【請求項１０】
前記更新は、前記分析物濃度の前記履歴値の前記表示を変化させる、請求項９に記載の方法。
【請求項１１】
ａ．前記第１の未加工の値と前記第２の未加工の値との間の差を決定することと、
ｂ．前記差に基づく数量を所定の基準と比較することと、前記比較に基づき前記センサ校正がドリフトしているかどうかを決定することと、をさらに含む、請求項７に記載の方法。
【請求項１２】
前記センサ校正がドリフトしている定量的な量を決定することをさらに含む、請求項１１に記載の方法。
【請求項１３】
前記決定された定量的な量に基づき、前記センサ校正を調節することをさらに含む、請求項１２に記載の方法。
【請求項１４】
前記数量は、前記第１の未加工の値と前記第２の未加工の値との間の勾配である、請求項１１に記載の方法。
【請求項１５】
前記勾配が所定の閾値を超える場合、前記勾配がもはや所定の閾値を超えなくなるまで、今後の校正を禁止する、請求項１４に記載の方法。
【請求項１６】
ユーザに測定値を入力するように促すことをさらに含む、請求項１５に記載の方法。
【請求項１７】
前記センサは、グルコースセンサである、請求項１〜１１のいずれか１項に記載の方法。
【請求項１８】
ａ．前記相互関連付けに続いて、前記センサからの信号を受信することと、
ｂ．前記受信信号に対応する値を表示することであって、前記表示された値は、前記受信信号及び前記既知の分析物濃度値に基づく、表示することと、をさらに含む、請求項１〜１７のいずれか１項に記載の方法。
【請求項１９】
ユーザに測定値を入力するように促すことによって、前記既知の分析物濃度値を決定するステップをさらに含む、請求項１〜１８のいずれか１項に記載の方法。
【請求項２０】
母集団平均にアクセスすることによって、前記既知の分析物濃度値を決定するステップをさらに含む、請求項１〜１９のいずれか１項に記載の方法。
【請求項２１】
前記繰り返し性事象は、定常状態、食後の上昇、毎日の高低グルコースの幅、減衰率、または変化率からなる群から選択される、請求項１〜２０のいずれか１項に記載の方法。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
発酵プロセスにおける微生物のバイオマス生産および／または増殖速度を改善するための方法であって、
（ｉ）１つ以上の微生物を提供する工程と、
（ｉｉ）前記１つ以上の微生物を発酵させるのに適した発酵基質を提供する工程と、
（ｉｉｉ）前記１つ以上の微生物および前記発酵基質を混合して発酵ブロスを提供する工程と、
（ｉｖ）発酵槽に前記発酵ブロスを添加する工程と、
（ｖ）少なくとも１つのガス状基質を前記発酵ブロスに注入する工程と、
（ｖｉ）発酵プロセスを少なくとも１時間の発酵期間の間実行する工程と、を含み、
少なくとも１つのガス状基質は、１つ以上の温室効果ガス、例えば二酸化炭素（ＣＯ２）を含み、
前記発酵ブロス中に注入されるＣＯ２の量が、少なくとも０．００１Ｌ／分／Ｌの発酵ブロス、例えば少なくとも０．００５Ｌ／分／Ｌの発酵ブロス、例えば少なくとも０．０１Ｌ／分／Ｌの発酵ブロス、例えば少なくとも０．０５Ｌ／分／Ｌの発酵ブロス、例えば少なくとも０．１Ｌ／分／Ｌの発酵ブロス、例えば少なくとも０．１３Ｌ／分／Ｌの発酵ブロス、例えば少なくとも０．１５Ｌ／分／Ｌの発酵ブロス、例えば０．２Ｌ／分／Ｌの発酵ブロス、例えば少なくとも０．２５Ｌ／分／Ｌの発酵ブロスであることを特徴とする方法。
【請求項２】
前記ガス状基質がＣ１化合物をさらに含む、請求項１に記載の方法。
【請求項３】
発酵プロセスにおける微生物のバイオマス生産および／または増殖速度を改善するための方法であって、
（ｉ）１つ以上の微生物を提供する工程と、
（ｉｉ）前記１つ以上の微生物を発酵させるのに適した発酵基質を提供する工程と、
（ｉｉｉ）前記１つ以上の微生物および前記発酵基質を混合して前記発酵ブロスを提供する工程と、
（ｉｖ）発酵槽に発酵ブロスを添加する工程と、
（ｖ）少なくとも１つのガス状基質を前記発酵ブロスに注入する工程と、
（ｖｉ）前記発酵プロセスを少なくとも１時間の発酵期間の間実行する工程と、を含み、
前記少なくとも１つのガス状基質は、２つ以上の炭素源の組み合わせを含むことを特徴とする方法。
【請求項４】
２つ以上の炭素源の前記組み合わせが、１つ以上の温室効果ガス、例えば二酸化炭素（ＣＯ２）と１つ以上のアルカン、例えばメタンとの組み合わせを含む、請求項３に記載の方法。
【請求項５】
前記発酵プロセスが、エアリフトリアクタ、ループリアクタ、Ｕ型リアクタ、または撹拌槽リアクタ内で行われる、請求項１から４のいずれか一項に記載の方法。
【請求項６】
前記発酵ブロスおよび前記ガス状基質の圧力が、少なくとも１．５ｂａｒ；例えば少なくとも１．７５ｂａｒ；例えば少なくとも２．０ｂａｒ；例えば少なくとも２．５ｂａｒ；例えば少なくとも３．０ｂａｒ；例えば少なくとも３．５ｂａｒ；例えば少なくとも４．０ｂａｒ；例えば少なくとも４．５ｂａｒ；例えば少なくとも５．０ｂａｒ；例えば少なくとも５．５ｂａｒ；例えば少なくとも６．０ｂａｒ；例えば少なくとも７．０ｂａｒ；例えば少なくとも８．０ｂａｒ；例えば少なくとも９．０ｂａｒ；例えば少なくとも１０．０ｂａｒの発酵槽の外側の圧力に対する超過圧力への増加分である、請求項１から５のいずれか一項に記載の方法。
【請求項７】
前記微生物が、細菌細胞、真菌細胞、藻類細胞、または動物細胞からなる群から選択される、請求項１から６のいずれか一項に記載の方法。
【請求項８】
前記ガス状基質がさらに、少なくとも１つの窒素源をさらに含み、好ましくは、
前記少なくとも１つの窒素源が、アンモニア、硝酸塩、分子状窒素、およびこれらの組み合わせからなる群から選択され、好ましくは、前記窒素源は、アンモニアと硝酸塩との組み合わせである、請求項１から７のいずれか一項に記載の方法。
【請求項９】
前記発酵プロセス中の微生物の増殖速度が、少なくとも０．０４ｈ−１、例えば少なくとも０．０６ｈ−１、例えば少なくとも０．０８ｈ−１、例えば少なくとも０．１０ｈ−１、例えば少なくとも０．１２ｈ−１、例えば少なくとも０．１４ｈ−１、例えば少なくとも０．１５ｈ−１、例えば少なくとも０．１６ｈ−１、例えば少なくとも０．１７ｈ−１、例えば少なくとも０．１８ｈ−１、例えば少なくとも０．１９ｈ−１、例えば少なくとも０．２０ｈ−１、例えば少なくとも０．２２ｈ−１、例えば少なくとも０．２５ｈ−１、例えば少なくとも０．２７ｈ−１、例えば少なくとも０．３０ｈ−１、例えば少なくとも０．３２ｈ−１、例えば少なくとも０．３５ｈ−１、例えば少なくとも０．３７ｈ−１である、請求項１から８のいずれか一項に記載の方法。
【請求項１０】
乾物ベースで少なくとも２．５ｇ／ｌのバイオマス生産が提供され、例えば乾物ベースで２．６ｇ／ｌのバイオマス生産を提供され、例えば乾物ベースで２．７ｇ／ｌのバイオマス生産が提供され、例えば乾物ベースで２．８ｇ／ｌのバイオマス生産が提供されて、例えば乾物ベースで２．９ｇ／ｌのバイオマス生産が提供され、例えば乾物ベースで３．０ｇ／ｌのバイオマス生産を提供され、例えば乾物ベースで３．５ｇ／ｌのバイオマス生産を提供され、例えば乾物ベースで４．０ｇ／ｌのバイオマス生産が提供され、例えば乾物ベースで４．５ｇ／ｌのバイオマス生産が提供され、例えば乾物ベースで５．０ｇ／ｌのバイオマス生産が提供され、例えば乾物ベースで５．５ｇ／ｌのバイオマス生産が提供され、例えば乾物ベースで６．０ｇ／ｌのバイオマス生成が提供され、例えば乾物ベースで６．５ｇ／ｌのバイオマス生産が提供され、例えば乾物ベースで７．０ｇ／ｌのバイオマス生産が提供され、例えば乾物ベースで７．５ｇ／ｌのバイオマス生産が提供される、請求項１から９のいずれか一項に記載の方法。
【請求項１１】
前記バイオマス生産が、５日未満で、例えば４日未満で、例えば３日未満、例えば２日未満、例えば２４時間未満、例えば２０時間未満、例えば１６時間未満、例えば１４時間未満、例えば１２時間未満、例えば１０時間未満、例えば８時間未満で得られる、請求項１０に記載の方法。
【請求項１２】
乾物ベースで少なくとも３．５ｇ／ｌのバイオマス生産が２４時間未満で提供され、例えば乾物ベースで少なくとも４．０ｇ／ｌのバイオマス生産が２０時間未満で提供され、例えば乾物ベースで少なくとも４．５ｇ／ｌのバイオマス生成が１４時間未満で提供され、例えば乾物ベースで少なくとも５．０ｇ／ｌのバイオマス生産が１０時間未満で提供され、例えば乾物ベースで少なくとも５．５ｇ／ｌのバイオマス生産が８時間未満で提供される、請求項１から１１のいずれか一項に記載の方法。
【請求項１３】
少なくとも１つのガス状基質を発酵槽に注入するための入口を含み、ここで少なくとも１つのガス状基質は二酸化炭素（ＣＯ２）を含む発酵槽。
【請求項１４】
前記発酵槽は、１つ以上のセンサをさらに含み、好ましくは、前記１つ以上のセンサがＣＯ２を含む、請求項１３に記載の発酵槽。
【請求項１５】
請求項１から１２のいずれか一項に記載の方法によって得られることができる１つ以上の微生物を含む組成物。